(57)【要約】【課題】開発の元となる機種と同等の冷却能力を維持したまま装置の高さ寸法の変更を可能とする無停電電源装置の冷却構造を提案し、新たな無停電電源装置の開発にかかる時間を短縮可能とすること。【解決手段】本発明の無停電電源装置は、冷却のメインとなる主回路プリント基板と無停電電源装置の底板部分との間に仕切りとなる板を備え、該仕切板と底板部分の空間を調整することにより、装置の高さ寸法を調整可能となるように構成した。【選択図】図１
2007288843.tif 000002
【特許請求の範囲】
【請求項１】
主回路プリント基板と無停電電源装置の底板部分との間に仕切板を備えることを特徴とする無停電電源装置。
【請求項２】
無停電電源装置の冷却構造であって、
開発元となる無停電電源装置の冷却構造を維持したまま前記無停電電源の高さ方向の寸法を変更可能とする仕切板を、主回路プリント基板と前記無停電電源装置の底板部分との間に備える、
ことを特徴とする無停電電源装置の冷却構造。
【発明の詳細な説明】
【技術分野】
【０００１】
本発明は、無停電電源装置の冷却構造に関わり、特に該装置を新たな寸法に合わせて開発する際に、開発・検証期間を短縮することを可能とする冷却構造に関する。
【背景技術】
【０００２】
近年、オフィスや家庭にパソコンなどの情報処理装置が普及するにともない、情報処理装置に悪影響を与える周波数変動、電圧変動、瞬時電圧低下、波形歪み、ノイズおよび不測の停電、などの電源トラブルから情報処理装置を守るための無停電電源装置も普及している。
【０００３】
複数の情報処理装置から構成される情報処理システム等を構築する場合などは、複数の無停電電源装置をラックに組み込んで、サーバ、ストレージ装置、コンピュータ、測定機器等に電源を供給するように構成する。図２は、そのようなラックマウント型の無停電電源装置がラックに搭載されている外観を示すものである。
【０００４】
図２に示したようにラックマウントに搭載される無停電電源装置の構造は、例えば特許文献１などに開示されており、その構造は図３に示すようになっている。すなわち、半導体素子、電子部品、放熱ブロックなどを備える主回路プリント基板２が、無停電電源装置の底板部分１に取り付けられており、冷却ファン４によって吸気口５から吸い込まれた外気（冷却風）によって半導体素子や電子部品などが冷却される。
【０００５】
無停電電源装置においては、特に小容量の装置の場合、同一容量であっても使用する条件などにより、装置寸法が多岐に渡ることが多い。従来はこの問題を解決するために、装置の構造の全面的な見直しを行い、冷却経路の検討、冷却ファンの選定等を全て一から行っていた。このため無停電電源装置の開発期間が長くなってしまっていた。
【特許文献１】特開昭６３−３０２７３６号公報
【発明の開示】
【発明が解決しようとする課題】
【０００６】
そこで、本発明の課題は、開発の元となる機種と同等の冷却能力を維持したまま装置の高さ寸法の変更を可能とする無停電電源装置の冷却構造を提案し、新たな無停電電源装置の開発にかかる時間を短縮可能とすることにある。
【課題を解決するための手段】
【０００７】
上述の課題を解決するために、本発明では冷却のメインとなる主回路プリント基板と無停電電源装置の底板部分との間に仕切りとなる板を挿入し、装置の高さ寸法が大きくなった場合にも対応できるように構成した。従来の機種の冷却構造をそのまま用いるので、該装置内部の半導体、電子部品などを冷却する能力を維持することが可能で、また、冷却構造を見直すための検証時間も省略することが可能となる。
【０００８】
本発明の一態様によれば、本発明の無停電電源装置は、主回路プリント基板と無停電電源装置の底板部分との間に仕切板を備えることを特徴とする。これにより、無停電電源装置の高さ方向の寸法を仕切板によって調整することが可能となる。
【０００９】
本発明の一態様によれば、無停電電源装置の冷却構造であって、開発元となる無停電電源装置の冷却構造を維持したまま前記無停電電源の高さ方向の寸法を変更可能とする仕切板を、主回路プリント基板と前記無停電電源装置の底板部分との間に備えることを特徴とする。これにより、無停電電源装置の高さ方向の寸法を仕切板によって調整することが可能で、また開発の元になる無停電電源装置の冷却構造を維持したままなので、新たな冷却構造に関する検証時間を削減することが可能である。
【発明の効果】
【００１０】
本発明によれば、無停電電源装置において、冷却のメインとなる主回路プリント基板と該装置の底板部分との間に仕切りとなる板を挿入したため、同一容量の装置の高さ寸法が大きくなった場合にも対応することが可能となる。従来機種の冷却構造を変更しないため、装置内部の半導体、電子部品等を冷却する能力を維持することが可能で、また無停電電源装置の開発に際し冷却構造に関する検証時間を省略することが可能となり、開発期間を大幅に短縮することが可能である。
【発明を実施するための最良の形態】
【００１１】
以下、図面を参照して、本発明の実施の形態について説明する。
図１に本発明の無停電電源装置の冷却構造を示す。尚、本発明の無停電電源装置の冷却構造は、図３に示した従来装置の冷却構造を元とするものとする。
【００１２】
図１は、無停電電源装置の上面から見た図（ア）と、側面図（イ）と、（ア）に示した断面Ａ−Ａにおける断面図（ウ）そして斜視図（エ）を示している。
図１に示すように、本発明の無停電電源装置は冷却のメインとなる主回路プリント基板２と無停電電源装置の底板部分１との間に仕切板３を備え、従来装置と同一の冷却ファン４が取り付けられており、吸気口５から吸い込まれた外気によって半導体素子や電子部品などが冷却される構造となっている。
【００１３】
本発明の構造（図１）と従来装置の構造（図３）の違いは、本発明の無停電電源装置が、底板部分１と冷却のメインとなる主回路プリント基板２との間に仕切板３を備えたことにある。これにより、無停電電源装置の高さ寸法が大きくなった場合には、図１の高さaを開発の元となる図３の高さaと同じ寸法とするとともに、底板部分１と仕切板３の空間部分（図１の高さｂ）を新たに開発する装置の高さ寸法に基づいて調整することで対応が可能となる。
【００１４】
従来は、新たな寸法の無停電電源装置を開発する際に冷却構造を一から見直していたため、冷却構造の検証に時間がかかった。本発明によれば、新たに開発する無停電電源装置の高さaを、開発の元になる同一容量の無停電電源装置の高さaと同一寸法になるように仕切板３を設けることにより、開発の元になる装置と高さ寸法が異なる場合でも、開発元の機種と同等の冷却性能を得ることができる。このため、開発の元の機種と同じ冷却ファン４を配置できる等、開発の元になる機種の冷却構造に変更を加えずに装置の寸法を変更することが可能で、熱冷却における問題もなく、検証についても従来機種との比較程度で済ますことが可能である。これにより無停電電源装置の開発期間を大幅に短縮することが可能である。
【００１５】
以上本発明の無停電電源装置の冷却構造について詳細に説明したが、本発明は以上に述べたことに限定されるものではなく、本発明の要旨を逸脱しない範囲で様々の構成、または形状をつくることができることはいうまでもない。すなわち、本明細書では実施の形態としてラックマウント型の無停電電源装置の冷却構造について述べたが、本発明はこれに限定されることなく、いずれの無停電電源装置においても様々な装置寸法を求められる場合において応用が可能である。
【図面の簡単な説明】
【００１６】
【図１】本発明の無停電電源装置の構造を示す図である。
【図２】ラックマウントに搭載された無停電電源装置の外観を示す図である。
【図３】従来の無停電電源装置の構造を示す図である。
【符号の説明】
【００１７】
１      無停電電源装置の底板部分
２      主回路プリント基板
３      仕切板
４      冷却ファン
５      吸気口
【図１】
2007288843.tif 000003
【図２】
2007288843.tif 000004
【図３】
2007288843.tif 000005